【手続補正書】
【提出日】令和3年10月27日(2021.10.27)
【手続補正１】
【補正対象書類名】明細書
【補正対象項目名】００１８
【補正方法】変更
【補正の内容】
【００１８】
本発明の請求項１に係る画像符号化装置は、ＲＡＷ画像を、輝度成分と、第１〜第３の色差成分の、４つのプレーンに変換する変換手段と、前記４つのプレーンに対して階層的な周波数分解を行い夫々複数のサブバンドを生成する第１の生成手段と、前記複数のサブバンドを圧縮符号化して複数の圧縮サブバンドを生成する第２の生成手段と、前記４つのプレーンの前記複数の圧縮サブバンドを、前記周波数分解における階層に基づいたグループ毎にまとめて配置する配置手段と、前記配置された複数の圧縮サブバンドが格納される圧縮ＲＡＷ領域と、前記複数の圧縮サブバンドに関する情報が格納される情報管理領域とを含む記録ファイルを生成する第３の生成手段とを備えることを特徴とする。
【手続補正２】
【補正対象書類名】特許請求の範囲
【補正対象項目名】全文
【補正方法】変更
【補正の内容】
【特許請求の範囲】
【請求項１】
ＲＡＷ画像を、輝度成分と、第１〜第３の色差成分の、４つのプレーンに変換する変換手段と、
前記４つのプレーンに対して階層的な周波数分解を行い夫々複数のサブバンドを生成する第１の生成手段と、
前記複数のサブバンドを圧縮符号化して複数の圧縮サブバンドを生成する第２の生成手段と、
前記４つのプレーンの前記複数の圧縮サブバンドを、前記周波数分解における階層に基づいたグループ毎にまとめて配置する配置手段と、
前記配置された複数の圧縮サブバンドが格納される圧縮ＲＡＷ領域と、前記複数の圧縮サブバンドに関する情報が格納される情報管理領域とを含む記録ファイルを生成する第３の生成手段とを備えることを特徴とする画像符号化装置。
【請求項２】
前記配置手段は、前記４つのプレーンのうちの前記輝度成分、前記第１の色差成分、及び、前記第２の色差成分の圧縮サブバンドの前記周波数分解における階層に基づくグループを、低階層のグループから高階層のグループの順で配置し、前記４つのプレーンのうちの前記第３の色差成分は、前記輝度成分、前記第１の色差成分、及び、前記第２の色差成分の圧縮サブバンドのグループの後に配置することを特徴とする請求項１記載の画像符号化装置。
【請求項３】
前記階層に基づいたグループは、前記周波数分解における分解レベルが大きいほど、低階層のグループとなることを特徴とする請求項２記載の画像符号化装置。
【請求項４】
前記階層に基づいたグループのうち、最低階層のグループには、前記輝度成分、前記第１の色差成分、及び、前記第２の色差成分の、前記周波数分解における分解レベルが一番大きいＬＬサブバンドの圧縮サブバンドが含まれることを特徴とする請求項３記載の画像符号化装置。
【請求項５】
前記最低階層の次の階層のグループには、前記輝度成分、前記第１の色差成分、及び、前記第２の色差成分の、前記周波数分解における分解レベルが一番大きいＨＬ、ＬＨ、ＨＨサブバンドの圧縮サブバンドが含まれることを特徴とする請求項４記載の画像符号化装置。
【請求項６】
前記配置手段は、前記階層に基づいた各グループ内において、輝度成分の圧縮サブバンドを先に配置することを特徴とする請求項１乃至５のいずれか１項に記載の画像符号化装置。
【請求項７】
前記配置手段は、
前記第１〜第３の色差成分の内、２つの色差成分を表示用色差成分として選択する選択手段を更に備え、
前記複数の圧縮サブバンドのうち、前記輝度成分及び前記選択された表示用色差成分の圧縮サブバンドを前記階層に基づいたグループ毎にまとめて配置し、
前記複数の圧縮サブバンドのうち、前記第１〜第３の色差成分の内、前記表示用色差成分として選択されなかった色差成分の圧縮サブバンドを前記階層に基づいたグループとは異なるＲＡＷ再構成用データグループにまとめて配置することを特徴とする請求項１乃至６のいずれか１項に記載の画像符号化装置。
【請求項８】
前記周波数分解における夫々の階層に対応する複数の表示階層の１つの縮小画像の表示に必要な圧縮サブバンドを前記記録ファイルから読み出す読出手段を更に備え、
前記複数の表示階層は、対応する前記周波数分解における階層が高いほど前記表示される縮小画像の表示サイズが大きくなり、
前記情報管理領域は、前記圧縮ＲＡＷ画像を復号するための復号情報として、前記複数の表示階層の夫々の縮小画像の表示に必要な圧縮サブバンドのデータサイズの情報を格納し、
前記周波数分解における階層ｎに対応する表示階層の縮小画像の表示に必要な圧縮サブバンドの前記データサイズは、階層１〜ｎの夫々に基づくグループにまとめて配置される圧縮サブバンドのデータサイズの総和であることを特徴とする請求項７記載の画像符号化装置。
【請求項９】
前記階層の最小階層を除く階層Ｍに基づくグループは、前記輝度成分の圧縮サブバンドがまとめて配置される第１のサブ階層に基づくグループと、前記表示用色差成分の圧縮サブバンドがまとめて配置される第２のサブ階層に基づくグループから構成されることを特徴とする請求項８記載の画像符号化装置。
【請求項１０】
前記第２のサブ階層は、
前記表示用色差成分の水平又は垂直のいずれか一方の方向の画素のアップサンプリングに用いる圧縮サブバンドがまとめられた第１の色差階層と、
前記表示用色差成分の画素のアップサンプリングは不要である圧縮サブバンドがまとめられた第２の色差階層で構成されることを特徴とする請求項９記載の画像符号化装置。
【請求項１１】
前記復号情報は、
前記第１のサブ階層、前記第１及び第２の色差階層に対応する表示階層の夫々の縮小画像の表示に必要な圧縮サブバンドのデータサイズを含み、
前記第１のサブ階層に対応する表示階層の縮小画像の表示に必要な圧縮サブバンドの前記データサイズは、前記階層Ｍの前記第１のサブ階層に基づくグループ及び前記階層１〜Ｍ−１の夫々に基づくグループにまとめて配置される圧縮サブバンドのデータサイズの総和であり、
前記第１の色差階層に対応する表示階層の縮小画像の表示に必要な圧縮サブバンドの前記データサイズは、前記第１のサブ階層に対応する表示階層の縮小画像の表示に必要な圧縮サブバンドの前記データサイズと前記階層Ｍの前記第１の色差階層に基づくグループにまとめて配置される圧縮サブバンドのデータサイズの総和であり、
前記第２の色差階層に対応する表示階層の縮小画像の表示に必要な圧縮サブバンドの前記データサイズは、前記第１の色差階層に対応する表示階層の縮小画像の表示に必要な圧縮サブバンドの前記データサイズと前記階層Ｍの前記第２の色差階層に基づくグループにまとめて配置される圧縮サブバンドのデータサイズの総和であることを特徴とする請求項１０記載の画像符号化装置。
【請求項１２】
ＲＡＷ画像を、輝度成分と、第１〜第３の色差成分の、４つのプレーンに変換する変換ステップと、
前記４つのプレーンに対して階層的な周波数分解を行い夫々複数のサブバンドを生成する第１の生成ステップと、
前記複数のサブバンドを圧縮符号化して複数の圧縮サブバンドを生成する第２の生成ステップと、
前記４つのプレーンの前記複数の圧縮サブバンドを前記周波数分解における階層に基づいたグループ毎にまとめて配置する配置ステップと、
前記配置された複数の圧縮サブバンドが格納される圧縮ＲＡＷ領域と、前記複数の圧縮サブバンドに関する情報が格納される情報管理領域とを含む記録ファイルを生成する第３の生成ステップとを有することを特徴とする制御方法。
【請求項１３】
請求項１２記載の制御方法を実行することを特徴とするプログラム。